(57)【要約】【課題】高い面照度により欄干周辺を照射することができるマンコンベアを提供する。【解決手段】実施形態に係るマンコンベアは、移動経路を形成する一対の対向するスカートガードと、  前記一対のスカートガード内の移動経路に設けられ、無端状に連結されて循環移動する複数の踏段と、前記各スカートガードの上方に設置された一対のデッキと、前記各デッキから上方に延びる一対の欄干パネルと、前記各欄干パネルの上端に取り付けられた一対の手摺案内体と、前記各手摺案内体上に設けられ、前記踏段の循環移動に対応して循環移動する一対の無端状の移動手摺と、前記欄干パネルに設けられた有機エレクトロルミネッセンスパネルとを備える。【選択図】図１
2015081161.tif 000002
【特許請求の範囲】
【請求項１】
移動経路を形成する一対の対向するスカートガードと、
前記一対のスカートガード内の移動経路に設けられ、無端状に連結されて循環移動する
複数の踏段と、
前記各スカートガードの上方に設置された一対のデッキと、
前記各デッキから上方に延びる一対の欄干パネルと、
前記各欄干パネルの上端に取り付けられた一対の手摺案内体と、
前記各手摺案内体上に設けられ、前記踏段の循環移動に対応して循環移動する一対の無
端状の移動手摺と、
前記欄干パネルに設けられた有機エレクトロルミネッセンスパネルと
を備えることを特徴とするマンコンベア。
【請求項２】
前記有機エレクトロルミネッセンスパネルは、透明樹脂層を介して、前記欄干パネルに設置されている
ことを特徴とする請求項１に記載のマンコンベア。
【請求項３】
前記透明樹脂層は、前記欄干パネル及び前記有機エレクトロルミネッセンスパネルの基板のいずれかと同等、或いはいずれよりも高い屈折率を有する
ことを特徴とする請求項１または請求項２に記載のマンコンベア。
【請求項４】
不透明な材料で形成されたフレームが、前記有機エレクトロルミネッセンスパネルの外周部を囲うように、前記欄干パネルに設けられている
ことを特徴とする請求項１乃至請求項３のいずれか一項に記載のマンコンベア。
【請求項５】
前記有機エレクトロルミネッセンスパネルは、透過型片面発光パネルであり、
発光面が前記欄干パネルの外側に向けて設置されている
ことを特徴とする請求項１乃至請求項４のいずれか一項に記載のマンコンベア。
【請求項６】
前記欄干パネルには複数の前記有機エレクトロルミネッセンスパネルが設置され、
複数の前記有機エレクトロルミネッセンスパネルは互いに直列に接続されている
ことを特徴とする請求項１乃至請求項５のいずれか一項に記載のマンコンベア。
【発明の詳細な説明】
【技術分野】
【０００１】
本発明の実施形態は、マンコンベアに関する。
【背景技術】
【０００２】
動く歩道やエスカレータ等のマンコンベアは一般に、移動経路を形成する一対の対向するスカートガードと、この一対のスカートガード内の移動経路に設けられ、無端状に連結されて循環移動する複数の踏段と、スカートガードの上方に設置された一対のデッキと、これらのデッキから上方にそれぞれ延びる一対の欄干パネルとを備えている。そして、各欄干パネルの上端には手摺案内体が取り付けられており、各手摺案内体上に、踏段の循環移動に対応して循環移動する無端状の移動手摺が設けられている。
【０００３】
このようなマンコンベアの一対の欄干パネル間の照射領域を照射する照明装置としては、例えば特許文献１や特許文献２に開示されるものが知られている。
【０００４】
特許文献１には、各ガラスパネル（欄干パネル）の頂部と各手摺案内体との間に、複数
の小形ランプを内部に有する角形チューブが挿入されることにより構成された照明装置が
示されている。
【０００５】
また、特許文献２には、各ガラスパネル（欄干パネル）の上端に取り付けられ、下方に向かって凸となる凸面鏡と、デッキの内部に設けられ、凸面鏡に光を照射する照明源とを備えた照明装置が開示されている。
【０００６】
しかしながら、上述の特許文献１或いは特許文献２に示す照明装置により欄干周辺を照らすマンコンベアにおいては、照明源のサイズが限られ、光量が不十分で満足のいく照明・装飾効果を十分に得ることができない場合があった。
【先行技術文献】
【特許文献】
【０００７】
【特許文献１】特開平５−９７３７０号公報
【特許文献２】特開２００６−１７６２８０号公報
【発明の概要】
【発明が解決しようとする課題】
【０００８】
本発明の実施形態の目的は、高い面照度により欄干周辺を照射することができるマンコンベアを提供することである。
【課題を解決するための手段】
【０００９】
実施形態に係るマンコンベアは、移動経路を形成する一対の対向するスカートガードと、  前記一対のスカートガード内の移動経路に設けられ、無端状に連結されて循環移動する
複数の踏段と、前記各スカートガードの上方に設置された一対のデッキと、前記各デッキから上方に延びる一対の欄干パネルと、前記各欄干パネルの上端に取り付けられた一対の手摺案内体と、前記各手摺案内体上に設けられ、前記踏段の循環移動に対応して循環移動する一対の無端状の移動手摺と、前記欄干パネルに設けられた有機エレクトロルミネッセンスパネルとを備える。
【図面の簡単な説明】
【００１０】
【図１】第１の実施形態に係るマンコンベアの断面図である。
【図２】同実施形態に係るＯＬＥＤパネルのタイプを説明する図である。
【図３】同実施形態に係る欄干パネルにＯＬＥＤパネルを設置した状態を説明する図である。
【図４】同実施形態に係るフレームの設置例を示す図である。
【図５】同実施形態に係るＯＬＥＤパネルと欄干パネルとフレームを組み付けた際の立体的な模式図である。
【図６】同実施形態に係る複数組のＯＬＥＤパネルとフレームのセットを、欄干パネルに設置したマンコンベアの例を示す図である。
【図７】第２の実施形態に係るマンコンベアの断面図である。
【図８】第３の実施形態に係るマンコンベアの断面図である。
【図９】第４の実施形態に係るマンコンベアの断面図である。
【図１０】同実施形態に係る複数のＯＬＥＤパネルの接続例を示す図である。
【発明を実施するための形態】
【００１１】
以下、実施の形態について図面を参照しながら説明する。図面中の同一部分には、同一番号を付してその詳しい説明は適宜省略し、異なる部分について説明する。なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。
【００１２】
（第１の実施形態）
図１に、第１の実施形態に係るマンコンベアの断面図を示す。
【００１３】
本実施形態に係るマンコンベアは、移動経路を形成する一対の対向するスカートガード１１と、一対のスカートガード１１内の移動経路に設けられ、無端状に連結されて循環移動する複数の踏段１２と、各スカートガード１１の上方に設置された一対のデッキ１３と、各デッキ１３から上方に延びる一対の欄干パネル１４と、各欄干パネル１４の上端に取り付けられた一対の手摺案内体１５と、各手摺案内体１５上に設けられ、踏段１２の循環移動に対応して循環移動する一対の無端状の移動手摺１６と、欄干パネル１４に設けられた有機エレクトロルミネッセンス（ＯＬＥＤ：Ｏｒｇａｎｉｃ  Ｌｉｇｈｔ  Ｅｍｉｔｔｉｎｇ  Ｄｉｏｄｅ）パネル１７とを備える。
【００１４】
ＯＬＥＤパネル１７は、面状に発光する照明源であり、以下に説明する３種類のタイプのいずれを用いてもよい。図２に、ＯＬＥＤパネルのタイプを説明する図を示す。図２（ａ）は片面発光パネル、図２（ｂ）は両面発光パネル、図２（ｃ）は透過型片面発光パネルを示している。いずれのタイプのＯＬＥＤパネル１７も、ガラス基板２１、シール材２２、陰極２３、発光層２４、陽極２５を備えている。
【００１５】
図２（ａ）に示すように、片面発光パネルとは、陽極あるいは陰極いずれかに透明導電膜を用いた発光面が片面のみとなるパネルである。透明導電膜を用いない側の電極は一般的に金属膜を用いるので、消灯時には陰極２３によって視界が遮られ不透明になる。
【００１６】
図２（ｂ）に示すように、両面発光パネルとは、両面ともが発光面になっており、陰極２３と陽極２５のいずれにも透明電極を用いているので消灯時には透過して見え、透明なガラスのようになるものである。
【００１７】
図２（ｃ）に示すように、透過型片面発光パネルとは、発光面が片面のみで、陽極２５は透明電極だが、陰極２３には細長いストライプ状の金属電極を用いている。パネルの中で金属電極がある部分は、パネルの表側に大部分の光を取り出せる。一方、金属電極がない部分は、光が双方向に透過し、発光時でも透明なままである。これにより、透過型片面発光パネルは、消灯時にはパネル自体が透過して見え、透明なガラスのようになる。点灯時には片面だけが発光し、発光面の裏からはパネル越しに透過して物が照らされて見える。 つまり、発光面側から見るとパネルは明るく光って見え、発光面の裏側から見ると、パネルの向こう側の景色が透過して見える。
【００１８】
ＯＬＥＤパネル１７としていずれのタイプのパネルを用いてもよいが、本実施形態では、図２（ｃ）に示すような透過型片面発光パネルを用いた場合について説明する。
【００１９】
図１に示すように、本実施形態のマンコンベアでは、透過型片面発光パネルの発光面を踏段１２側（以下、内側という）に向けて、欄干パネル１４に設置する。
【００２０】
欄干パネル１４は、透明であることが好ましい。透明な欄干パネル１４として、例えばガラス板が使用できる。
【００２１】
図３は、欄干パネル１４にＯＬＥＤパネル１７を設置した状態を示している。図３に示すように、欄干パネル１４のガラス板にＯＬＥＤパネル１７を透明性樹脂を用いて貼り合せる。その結果、欄干パネル１４とＯＬＥＤパネル１７との間には、透明樹脂層１８が形成される。ここでは一例として、ＯＬＥＤパネル１７の発光面が欄干パネル１４と反対側になるように貼り合せた場合を示している。ＯＬＥＤパネル１７が両面発光パネルの場合には、ＯＬＥＤパネル１７の発光面と欄干パネル１４とを透明樹脂層１８により接着してもよい。
【００２２】
欄干パネル１４とＯＬＥＤパネル１７の接着に用いる透明性樹脂は、透明樹脂層１８と接する欄干パネル１４およびＯＬＥＤパネル１７の接着面それぞれの屈折率を考慮し、透明性樹脂層１８の屈折率が欄干パネル１４に対して同等あるいは大きく、かつＯＬＥＤパネル１７の接着面となる基板の屈折率に対して同等あるいは大きくなるような透明性樹脂を使用するのが好ましい。例えば、欄干パネル１４とＯＬＥＤパネル１７の接着面となる基板が同じガラスの場合には、ガラスと同等の１．５程度の屈折率を有する透明性樹脂を用いる。
【００２３】
ＯＬＥＤパネルでは一般的に、陽極と発光層と陰極からなるＯＬＥＤ素子が水分および酸素との接触により劣化する。これを考慮し、ＯＬＥＤパネルは乾燥窒素ガスを封入し対向基板で封止した構造をとり、ＯＬＥＤ素子の陽極および陰極に給電するための配線はＯＬＥＤ素子を形成する側の基板の外縁部分に引き出され、封止用対向基板とＯＬＥＤ素子形成基板を貼り合せるシール材の外側で電源からの給電用配線と接続される。この接続は例えば、インジウムによる超音波はんだ付けで可能となる。
【００２４】
上述したように、ＯＬＥＤパネル１７の外周部には給電用の引き回し配線や、電源に接続する配線など不透明性な材料で構成される部分が存在することから、装飾性を考慮して、ＯＬＥＤパネル１７の発光領域および良好な透過性が確保できる領域に相当する開口部１０を有するフレーム１９を欄干パネル１４の両面に設ける。図４に、フレーム１９の設置例を示す。フレーム１９は不透明な材料とし、配線２０やプラスプラグ３１、マイナスプラグ３０を目隠しする機能を有する。フレーム１９の開口部１０からはＯＬＥＤパネル１７のみが露出しており、配線２０やプラスプラグ３１、マイナスプラグ３０はフレーム１９に隠されて外側からは見えない。フレーム１９の内側において、ＯＬＥＤパネル１７の陽極２５はプラスプラグ３１に、陰極２３はマイナスプラグ３０に、それぞれ配線２０を介して接続される。あるいは、プラスプラグ３１、マイナスプラグ３０、配線２０はその一部あるいは全部がフレーム１９内部に組み込まれていてもよい。
【００２５】
フレーム１９としては、具体的には、ステンレスやアルミなどの金属や、黒色のアクリル樹脂などの有色プラスチックが使用できる。
【００２６】
フレーム１９は欄干パネル１４に接着して固定してもよいし、最終的にマンコンベアとして組み立てる際に、欄干パネル１４とフレーム１９を接触させ、デッキ１３および手摺案内体１５に固定してもよい。
【００２７】
図５はＯＬＥＤパネル１７と欄干パネル１４とフレーム１９を組み付けた際の立体的な模式図である。この図５に示すものを一セット（セット５）として、最終的にこれをマンコンベアの欄干部分に必要に応じ複数枚組み付けることができる。
【００２８】
図６に、複数組のＯＬＥＤパネル１７とフレーム１９のセット５を、欄干パネル１４に設置したマンコンベアの例を示す。本実施形態では、ＯＬＥＤパネル１７の発光面をマンコンベアの内側（踏段１２側）に向けて設けた場合を説明したが、後述する他の実施形態のように、ＯＬＥＤパネル１７の発光面をマンコンベアの外側（踏段１２と反対側）に向けて設ける場合もある。あるいは、ＯＬＥＤパネル１７は、片面発光パネルまたは透過型片面発光パネルではなく、両面発光パネルでもよい。図６に示すように、複数組のＯＬＥＤパネル１７とフレーム１９のセット５を、欄干パネル１４に設置する場合には、セット５毎にＯＬＥＤパネルのタイプ（片面発光パネル／透過型片面発光パネル／両面発光パネル）が異なっていてもよいし、セット５毎にＯＬＥＤパネル１７の発光面の設置方向（マンコンベアの内側向き／外側向き）が異なっていてもよい。
【００２９】
こうすることで、例えば、マンコンベアの乗降口の部分には、マンコンベアの内側、すなわち乗降者の足元を明るく照射するように、両面発光パネル設置したり、片面発光パネル又は透過型片面発光パネルをマンコンベアの内側向きに設置したりすることができる。
【００３０】
そして、その他の部分には、マンコンベアの外側に発光するように、両面発光パネル、あるいは片面発光パネル又は透過型片面発光パネルを設置することで、例えば、装飾として機能させてもよい。また、マンコンベアの外側に向けて発光することで、外側、特に下方からの目隠しになり、覗き込みの防止、といった効果も考えられる。
【００３１】
本実施形態によれば、ＯＬＥＤパネル１７を欄干パネル１４に設置することで、高い面照度により欄干周辺を照射することができる。特に、本実施形態に係るマンコンベアでは、ＯＬＥＤパネル１７の発光面を、マンコンベアの内側に向けて、欄干パネル１４に設置することで、乗降者の足元を明るく照射することができる。この効果は、いずれのタイプのＯＬＥＤパネル１７を用いた場合にも、実現することができる。
【００３２】
また、透過型片面発光パネルは発光面の裏側からは透過して物が見えるため、透過型片面発光パネルをマンコンベアの内側向きに設置した場合には、マンコンベアの外側から見ると、乗降口の様子や踏段の様子が透過して見える。これにより、例えば、乗降口の見通しが良くないことで乗客同士が接触する可能性などを低減することができると考えられる。
【００３３】
また、透過型片面発光パネルは消灯時には外光が透過するので、消灯してもある程度の明るさは得られる。従って、日中は消灯することで省エネルギー化を図ることもできる。あるいは、場合によってＯＬＥＤパネル１７を消灯したり点灯したりすることで、イルミネーションのような装飾の効果を得ることもできる。これらは、両面発光パネルを用いた場合にも、同様の効果が得られる。
【００３４】
さらに、本実施形態に係るマンコンベアでは、欄干パネル１４は透明であり、欄干パネル１４とＯＬＥＤパネル１７とを張り合わせる樹脂も透明で透明樹脂層１８となるので、これらの構成要素に遮られることなく、マンコンベアの外側から透過型片面発光パネルを透過して物を見ることができる。また、ＯＬＥＤパネル１７の消灯時にも、これらの構成要素に遮られることなく、透明なパネルとして透過して物を見ることができる、外光を透過することができるなどの効果が得られる。特に、透明樹脂層１８は、欄干パネル１４及びＯＬＥＤパネル１７の基板のいずれかと同等、或いはいずれよりも高い屈折率を有するので、より良好な透過性を実現できる。
【００３５】
また、本実施形態に係るマンコンベアによれば、不透明な材料で形成されたフレーム１９が、ＯＬＥＤパネル１７の外周部を覆うように欄干パネル１４に設けられていることで、配線２０やプラスプラグ３１、マイナスプラグ３０などをフレーム１９で隠すことができる。これにより、装飾性を向上させることができる。
【００３６】
（第２の実施形態）
図７に、第２の実施形態に係るマンコンベアの断面図を示す。
【００３７】
第２の実施形態に係るマンコンベアの構成は、ほぼ第１の実施形態に係るマンコンベアと同様である。第２の実施形態においても、ＯＬＥＤパネル１７として透過型片面発光パネルを用いた場合を説明するが、透過型片面発光パネルの発光面を踏段１２と反対側（以下、外側という）に向けて欄干パネル１４に設置した点が、第１の実施形態と異なる。その他の構成は、第１の実施形態と同様である。
【００３８】
本実施形態によれば、ＯＬＥＤパネル１７を欄干パネル１４に設置することで、高い面照度により欄干周辺を照射することができる。特に、本実施形態に係るマンコンベアでは、ＯＬＥＤパネル１７の発光面を、マンコンベアの外側に向けて、欄干パネル１４に設置することで、マンコンベアの設置フロアにおいて照明として機能することができる。
【００３９】
また、透過型片面発光パネルは発光面の裏側からは透過して物が見えるため、透過型片面発光パネルをマンコンベアの外側向きに設置した場合には、マンコンベアの内側から見ると、フロアの様子が透過して見える。例えば、デパートなどに本実施形態のマンコンベアを設置した場合には、乗客がマンコンベアに乗りながら、下階の売り場の様子を見ることができる。
【００４０】
さらに、本実施形態に係るマンコンベアでは、マンコンベアの外側に発光するように、ＯＬＥＤパネル１７を設置することで、装飾として機能することもできる。また、マンコンベアの外側に向けて発光することで、外側、特に下方からマンコンベアの内側を目隠しすることができる。
【００４１】
例えば、本実施形態に係るマンコンベアによれば、駅やショッピングモールなどにおいて、マンコンベアの外側からは乗客を見えにくくしつつ、マンコンベアの乗客からは各フロアの様子を見ることができる。
【００４２】
また、透過型片面発光パネルは消灯時には透明となり、外光が透過するので、消灯してもある程度の明るさは得られる。従って、日中は消灯することで省エネルギー化を図ることもできる。あるいは、場合によってＯＬＥＤパネル１７を消灯したり点灯したりすることで、イルミネーションのような装飾の効果を得ることもできる。これらは、両面発光パネルを用いた場合にも、同様の効果が得られる。
【００４３】
さらに、本実施形態に係るマンコンベアでは、欄干パネル１４は透明であり、欄干パネル１４とＯＬＥＤパネル１７とを張り合わせる樹脂も透明で透明樹脂層１８となるので、これらの構成要素に遮られることなく、マンコンベアの内側から透過型片面発光パネルを透過して物を見ることができる。また、ＯＬＥＤパネル１７の消灯時にも、これらの構成要素に遮られることなく、透明なパネルとして透過して物を見ることができる、外光を透過することができるなどの効果が得られる。特に、透明樹脂層１８は、欄干パネル１４及びＯＬＥＤパネル１７の基板のいずれかと同等、或いはいずれよりも高い屈折率を有するので、より良好な透過性を実現できる。
【００４４】
また、本実施形態に係るマンコンベアによれば、不透明な材料で形成されたフレーム１９が、ＯＬＥＤパネル１７の外周部を覆うように欄干パネル１４に設けられていることで、配線２０やプラスプラグ３１、マイナスプラグ３０などをフレーム１９で隠すことができる。これにより、装飾性を向上させることができる。
【００４５】
（第３の実施形態）
図８に、第３の実施形態に係るマンコンベアの断面図を示す。
【００４６】
第１及び第２の実施形態では、欄干パネル１４の片面にＯＬＥＤパネル１７を貼り付ける場合を説明したが、図８に示すように、２枚のＯＬＥＤパネル１７をそれぞれ発光面がマンコンベアの内側と外側を向くように欄干パネル１４の両面に設置してもよい。
【００４７】
その他の構成は、第１の実施形態及び第２の実施形態と同様である。
【００４８】
本実施形態によれば、第１及び第２の実施形態における両方の効果を実現することができる。
【００４９】
さらに、景色を透過させたい場所（乗車口または中間部など）や方向（マンコンベアの内側方向または外側方向）と、透過させずに遮りたい場所や方向と、照明によって明るく照らしたい場所や方向と、を動的に切り替えることができる。
【００５０】
また、マンコンベアに乗客が乗っているときには、マンコンベアの内側のＯＬＥＤパネル１７を点灯し、マンコンベアに乗客が乗っていないときには、マンコンベアの内側のＯＬＥＤパネル１７は消灯し、外側のＯＬＥＤパネル１７を点灯することでフロアの照明として利用することもできる。
【００５１】
（第４の実施形態）
図９に、第４の実施形態に係るマンコンベアの断面図を示す。
【００５２】
図９に示すように、第４の実施形態では、複数のＯＬＥＤパネル１７を１つのフレーム１９に配置した場合について説明する。基本的な構造は第２の実施形態における単数枚の場合と同じであるが、フレーム１９の構造が第１の実施形態とは異なる。ＯＬＥＤパネル１７はいずれのタイプを用いてもよく、ＯＬＥＤパネル１７を欄干パネル１４に設置する際の発光面の向きは、マンコンベアの内側もしくは外側のいずれでもよい。ここでは、ＯＬＥＤパネル１７の発光面をマンコンベアの外側向きに設置した場合について説明する。
【００５３】
図９では、３枚のＯＬＥＤパネル１７を縦に並べて使用している。フレーム１９の開口部１０がＯＬＥＤパネル１７の枚数にしたがい増加した構造となっている。つまり、ここでは、ＯＬＥＤパネル１７が３枚なので、フレーム１９は開口部１０を３か所備えている。
【００５４】
各ＯＬＥＤパネル１７の外周部はフレーム１９で隠され、配線等を目隠しすることができる。
【００５５】
１つのフレーム１９に配置するＯＬＥＤパネル１７の数は、３枚に限られず何枚でもよい。また、この複数枚のＯＬＥＤパネル１７とフレーム１９とのセットを縦方向ではなく、横方向に設置してもよい。
【００５６】
図１０に、複数のＯＬＥＤパネルの接続例を示す。図１０に示すように、ＯＬＥＤパネル１７ａの陰極２３ａは配線２０ａによってマイナスプラグ３０に接続され、ＯＬＥＤパネル１７ａの陽極２５ａは配線２０ｂによってＯＬＥＤパネル１７ｂの陰極２３ｂに接続されている。同様に、ＯＬＥＤパネル１７ｂの陽極２５ｂは、配線２０ｃによってＯＬＥＤパネル１７ｃの陰極２３ｃに接続されている。さらに、ＯＬＥＤパネル１７ｃの陽極２５ｃは配線２０ｄによってプラスプラグ３１に接続されている。
【００５７】
これらのマイナスプラグ３０、プラスプラグ３１、配線２０ａ乃至２０ｄは、フレーム１９によって、外側から見えないように目隠しされている。あるいは、その一部あるいは全部がフレーム１９内部に組み込まれていてもよい。
【００５８】
このように、複数枚のＯＬＥＤパネル１７を使用する場合には、それぞれのＯＬＥＤパネル１７を電気的に直列に接続することが望ましい。これは、ＯＬＥＤ素子が電流駆動素子であるためで、並列で接続した場合には各ＯＬＥＤパネル１７の発光輝度に必要な電流量をそれぞれに供給することになり電源から出力される電流量が増大する。これに対して直列に接続した場合には電気回路的に、一枚分の発光輝度に必要な電流量のみとなるため、発熱による火災等のリスクを低下し、より安全性を高くすることができる。
【００５９】
本実施形態によれば、複数のＯＬＥＤパネル１７を１つのフレーム１９に配置することで、配線２０やプラスプラグ３１、マイナスプラグ３０などを目隠ししつつ、フレーム１９の面積をより少なくし、より高い装飾性を実現することができる。
【００６０】
また、複数枚のＯＬＥＤパネル１７をまとめて設置することができるので、組み立てが容易になる。
【００６１】
さらに、ＯＬＥＤパネル１７とフレーム１９とが１対１でセットになっている場合と比較して、複数枚のＯＬＥＤパネル１７に対して１つのフレーム１９でよいのでフレーム１９の数が減り、組み立てた場合にフレーム１９同士のつなぎ目が少なくなる。これにより、強度を増すことができる。
【００６２】
本発明の実施形態を説明したが、実施形態は、例として提示したものであり、発明の範囲を限定することは意図していない。実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６３】
５：セット、１０：開口部、１１：スカートガード、１２：踏段、１３：デッキ、１４：欄干パネル、１５：手摺案内体、１６：移動手摺、１７：ＯＬＥＤパネル、１８：透明樹脂層、１９：フレーム、２０：配線、２１：ガラス基板、２２：シール材、２３：陰極、２４：発光層、２５：陽極、３０：マイナスプラグ、３１：プラスプラグ
【図１】
2015081161.tif 000003
【図２】
2015081161.tif 000004
【図３】
2015081161.tif 000005
【図４】
2015081161.tif 000006
【図５】
2015081161.tif 000007
【図６】
2015081161.tif 000008
【図７】
2015081161.tif 000009
【図８】
2015081161.tif 000010
【図９】
2015081161.tif 000011
【図１０】
2015081161.tif 000012